(57)【要約】【課題】従来の通信モジュールでは、通信モジュールを搭載する機器側との通信を常に保持しなければならないため、受信待ち受け状態時、常にマイコンは通常モードの電力を消費していた。【解決手段】プリアンブル検出信号をマイコンに出力することで、受信パケットが来たことをマイコンに知らせ、マイコンの動作を、低消費電力モードから通常モードへ切り替える。【選択図】　図１
2004112072.tif 000002
【特許請求の範囲】
【請求項１】
受信パケットを受信し、前記受信パケットに備わる信号部およびデータ部からプリアンブル検出信号およびデータ信号を出力するパケット処理部と、前記プリアンブル検出信号および前記データ信号を入力し、機器に接続するマイコンとを備え、前記パケット処理部は、受信した前記受信パケットがプリアンブル信号部を有することを検出した場合、プリアンブル検出信号を出力するプリアンブル検出部を有し、通常モードで動作し、低電力消費モードで停止する前記マイコン内のＣＰＵが、前記プリアンブル検出信号を入力すると低電力消費モードから通常モードに切り替わる通信モジュール。
【請求項２】
電灯線を媒体として通信される受信パケットを受信し、前記受信パケットに備わる信号部およびデータ部からプリアンブル検出信号およびデータ信号を出力するパケット処理部と、前記プリアンブル検出信号および前記データ信号を入力し、機器に接続するマイコンとを備え、前記パケット処理部は、受信した前記受信パケットがプリアンブル信号部を有することを検出した場合、プリアンブル検出信号を出力するプリアンブル検出部を有し、通常モードで動作し、低電力消費モードで停止する前記マイコン内のＣＰＵが、前記プリアンブル検出信号を入力すると低電力消費モードから通常モードに切り替わる電灯線通信モジュール。
【発明の詳細な説明】
【０００１】
【発明の属する技術分野】
本発明は、データの送受信を実現する通信モジュールおよび電灯線を伝送媒体としてデータの送受信を実現する電灯線通信モジュールに関するものである。
【０００２】
【従来の技術】
従来の一般的な通信モジュールの構成図を図４に示す。１はマイコンで、外部からの信号を受けて通信モジュール全体の制御や、送信データの出力、受信データの入力をおこなう。２は、パケット化部で、マイコン１から出力された送信データにプリアンブル信号などのヘッダを付加して、送信パケットを作成し出力する。３は変調部で、パケット化部２から出力された送信パケットを変調して変調信号を作成し外部へ出力する。
【０００３】
一方、４は復調部で、外部からの復調信号を復調して受信パケットを作成し出力する。５はパケット処理部で、プリアンブル検出部６、同期コード検出部７とデータ抽出部８から構成される。復調部４から送られてきた受信パケット内部のヘッダを読み取り、受信データを抽出し、マイコン１に送る。６は、プリアンブル検出部で復調部４から送られてきた受信パケット内部のプリアンブル信号が検出された場合、受信パケットからプリアンブル信号を取り除いたデータを出力する。７は同期コード検出部でプリアンブル検出部６から送られてきたデータから同期コード信号を検出することで、データと同期を取り、同期コード信号を取り除いたデータを出力する。８はデータ抽出部で、同期コード検出部７から送られてきたデータから誤り訂正等の処理を施して、受信データを抽出し、マイコン１に出力する。
【０００４】
なお、受信パケットは図５で示すような構成であり、ヘッドにプリアンブル信号であることを示すプリアンブル信号部、続いて所定のコードを持ち、データの開始位置を知らせる同期コード信号部、最後にマイコンに送信したいデータを持つデータ部となっている。
【０００５】
また、９はマイコン１と通信する手段を有する機器で、マイコン１に入力する受信データにより、マイコン１によって制御される。
【０００６】
このような従来の一般的な通信モジュールの構成においては、例えば、受信パケットのプリアンブル信号を検出しないときは、復調部への電力供給を停止することにより、省電力化を図っていた（例えば特許文献１参照）。
【０００７】
【特許文献１】
特開平１１−３４１５３８号公報（第９頁、図１）
【０００８】
【発明が解決しようとする課題】
しかしながら、従来の通信モジュールでは、受信待ち受け状態時、常にマイコン１１はＣＰＵを常に通常モードで動作していた。これは、マイコン１１は、機器１９との通信を常に保持しなければならなかったからである。また、マイコン１１を低消費電力にして、マイコンを省エネするという課題認識がなかった。このため、マイコン１１は、受信パケットが来ないときでもＣＰＵを通常モードで動作しているため、通常モードの電力を消費していた。
【０００９】
本発明は、このような課題を解決すべく、消費電力を低減するシステムを提供することを目的とする。
【００１０】
【課題を解決するための手段】
上記課題を解決するために、本発明の通信モジュールは、受信パケットを受信し、受信パケット内部のプリアンブル信号を検出した場合、前記プリアンブル信号を受信したことを伝達するプリアンブル検出信号を出力するプリアンブル検出部と、前記プリアンブル検出信号を入力するとともに受信データに備わるデータ情報に応じた信号を作成し、接続する制御対象に出力するマイコンとを備え、前記プリアンブル検出信号が入力される前は前記ＣＰＵを停止する低電力消費モードにしておき、前記プリアンブル検出信号が入力されるとＣＰＵ通常モードに切り替えるものである。
【００１１】
また、特に受信パケットを電灯線通信モジュールを用いた電灯線通信モジュールを提供するものである。
【００１２】
【発明の実施の形態】
（実施の形態１）
図１を用いて本発明の実施の形態１について説明する。図１は、本実施の形態のブロック図を示す。ここで従来例のブロック図である図４と同じ部分は同じ符号を用い重複する説明は省略する。１０はプリアンブル検出信号で、パケット処理部５からマイコン１に出力される。
【００１３】
本実施の形態が従来の技術で示した例と異なるのは、プリアンプル検出部６が、プリアンブル信号が入力されるとブリアンブル信号部を分離し、プリアンブル信号として分離し、プリアンブル検出信号１０を出力するようにし、さらに、マイコン１は、プリアンブル信号１０と受信データを別々に入力し、プリアンブル信号が入力されると、ＣＰＵが停止する低電力消費モードから動作開始する通常モードに切り替わるようにした点である。
【００１４】
さらに、各部の構成と作用について説明する。本実施の形態では、パケット処理部５において、受信パケットの受信待ち受け状態時は、マイコン１を低消費電力モードで動作させる。低消費電力モードとは、ＣＰＵのみを停止し、周辺回路は動作している状態である。なお、低消費電力モードは、マイコン１に供給するクロックを低速にするもの、またはこれを前記の低消費電力モードに組み合わせたものであってもよい。
【００１５】
なお、受信パケットは、従来例と同様、図５に示す構成をしている。
【００１６】
プリアンブル検出部６は、外部からの信号を復調する復調部４から送られてきた受信パケットにプリアンブル信号があることを検出した場合、受信パケットからプリアンブル信号を取り除き、残ったデータ部分を同期コード検出部７に送ると同時に、プリアンブル検出信号１０をマイコン１に送る。
【００１７】
なお、プリアンブル信号は、取り除かずに、受信データとしてマイコンに全てのデータを送り、プリアンブル信号１０をマイコン１に送る方法でもよい。
【００１８】
さらに同期コード検出部７は同期コードの有無を判定し、さらにデータ抽出部８で抽出した受信データをマイコン１に送信する。
【００１９】
マイコン１はプリアンブル検出信号を受信すると、低消費電力モードから通常モードに切り替える。通常モードとは、ＣＰＵ、周辺回路共に動作している状態である。なお、マイコン１は、機器９からなんらかの信号を入力したときも、通常モードに切り替える。
【００２０】
同時にマイコン１は、データ抽出部８から入力した受信データに基づき、接続する機器９の制御を行う。
【００２１】
さらに図２を用いてマイコンでの動作手順について説明する。図２は、マイコン１の動作の流れ図を示す。ステップ１は、最初の状態として低消費電力モードであることを示す。ステップ２は、プリアンブル信号検出または、機器からの信号を検出したかどうか判断する。ステップ３は、ステップ２でいずれかの信号があったときの状態をとして通常モードに切り替わることを示す。ステップ４は、受信待ち受け状態かどうか判断し、受信待ち受け状態になったら再びステップ１の低消費電力モードに戻る。
【００２２】
以上により、受信パケットからプリアンブル信号を検出をするまでの間、マイコン１を低消費電力モードにしておくことができ、マイコンの動作が必要なときのみＣＰＵを動作させ、マイコンの消費電力を低減できる。
【００２３】
（実施の形態２）
図３を用いて本発明の実施の形態２について説明する。
【００２４】
図３は本実施の形態のブロック図を示す。本実施の形態において実施の形態１と同様の構成については同一の番号を付して重複する説明を省略する。１１はアナログ信号処理部で、フィルタや増幅器などを備え、変調部３から送られた変調信号を、アナログ的な処理を行って電灯線へ送信したり、電灯線からの受信信号をフィルタや増幅器などによりアナログ的な処理を行い復調部４へおくる。実施の形態１と異なるのは、アナログ部１１を付加している点と、伝送媒体として電灯線を指定した点である。
【００２５】
このように、パケット処理部５は、受信パケット１５を伝送媒体として電灯線を用いて受信し、パケット処理部５、マイコン１、機器９等により、実施の形態１と同様の動作を行い、受信パケット１５のプリアンブル信号部の検出有無により、マイコン１の動作を低消費電力モードまたは、通常モードに切合えるようにしたものである。
【００２６】
本実施の形態により、伝送媒体として電灯線を使用することで、既設の配線を用いて通信することができるので、容易かつ安価で、さらに省エネが可能な電灯線通信モジュールを提供できる。
【００２７】
【発明の効果】
以上のように、本発明は、プリアンブル検出信号をマイコンに供給し、受信パケットがくるまでの間、マイコンを低消費電力モードにすることにより受信待ち受け状態時の消費電力の低減をすることができる。
【図面の簡単な説明】
【図１】本発明の実施の形態１の通信モジュールのブロック図
【図２】マイコンの動作の流れ図
【図３】本発明の実施の形態２の電灯線通信モジュールのブロック図
【図４】従来の通信モジュールのブロック図
【図５】受信パケットの構成図
【符号の説明】
１　マイコン
５　パケット処理部
６　プリアンブル検出部
９　機器
１０　プリアンブル検出信号
１２　データ信号
１３　ＣＰＵ
１４　周辺回路
１５　受信パケット
【図１】
2004112072.tif 000003
【図２】
2004112072.tif 000004
【図３】
2004112072.tif 000005
【図４】
2004112072.tif 000006
【図５】
2004112072.tif 000007